(57)【要約】【課題】電池モジュールにおいてカバーを閉じる際に、ハウジングの壁とカバーとの間に配線が挟まれることがある。【解決手段】外周壁部１３の上端には、ヒンジ部３１を介して長方形板状の大カバー３２が連結されている。大カバー３２の先端縁（ヒンジ部３１とは反対側の縁）からは、略Ｕ字状の係止片３３が突出している。係止片３３は、Ｕ字の両端が大カバー３２の先端縁に連結されたような形状になっている。大カバー３２には、当該大カバー３２を閉じた状態において下側に向かって突出する案内部３４が設けられている。案内部３４は、係止片３３におけるヒンジ部３１側のうち、奥行方向の中央部に連結されている。案内部３４は、係止片３３の先端面と面一な平坦面３４ａと、その平坦面３４ａのヒンジ部３１側の端からヒンジ部３１側に向かうほど突出長が小さくなる傾斜面３４ｂとを備えている。【選択図】図５
2018181651.tif 000002
【特許請求の範囲】
【請求項１】
車載用の二次電池に装着されるハウジングを備え、前記ハウジングの底面から立設されている仕切壁によって、前記二次電池と電気的に接続された配線を収容するための配線収容室が仕切られている電池配線モジュールであって、
前記ハウジングの底面から立設されている壁部の上端には、当該壁部の上端に対して回動可能にカバーが連結されており、
前記カバーには、当該カバーを前記配線収容室を上側から覆うように閉じた状態において下側へ向かって突出する第１係止部が設けられており、
前記仕切壁には、前記第１係止部と係合して前記カバーを閉じた状態に保持する第２係止部が設けられており、
前記カバーには、当該カバーを閉じた状態において下側に向かって突出する案内部が設けられており、
前記案内部は、前記第１係止部に対して前記カバーの回動中心側に連結されているとともに、前記回動中心側に向かうほど前記カバーからの突出長が小さくなる傾斜面を有している
ことを特徴とする電池配線モジュール。
【請求項２】
前記第１係止部は、前記カバーにおける前記回動中心とは反対側の縁から突出しており、
前記第２係止部は、前記仕切壁から前記カバーの回動中心側に向かって突出するように設けられており、
前記カバーを閉じた状態において、前記第１係止部は前記仕切壁よりも前記回動中心側に位置している
ことを特徴とする請求項１に記載の電池配線モジュール。
【請求項３】
前記ハウジングの底面からは、前記仕切壁よりも前記回動中心側において前記仕切壁と対向するように規制壁が立設されており、
前記規制壁には、当該規制壁の上端から下側に向かって延びているスリットが設けられており、
前記カバーが閉じた状態において、前記第１係止部が前記仕切壁と前記規制壁との間に位置しているとともに、前記案内部が前記スリットに挿入されている
ことを特徴とする請求項２に記載の電池配線モジュール。
【請求項４】
前記カバーを前記回動中心を中心として回動させたときの前記傾斜面における突出先端側の頂点の軌跡よりも、前記規制壁の前記回動中心とは反対側の側面の方が、前記回動中心とは反対側に位置している
ことを特徴とする請求項３に記載の電池配線モジュール。
【請求項５】
前記カバー、前記第１係止部、及び前記案内部は、樹脂による一体成形物であり、
前記案内部は、前記第１係止部の突出先端面と面一な平坦面を有する
ことを特徴とする請求項１〜４のいずれか一項に記載の電池配線モジュール。
【発明の詳細な説明】
【技術分野】
【０００１】
本発明は、車載用の二次電池に装着される電池配線モジュールに関する。
【背景技術】
【０００２】
特許文献１には、車載用の二次電池に装着される電池配線モジュールが開示されている。特許文献１の電池配線モジュールは、二次電池の上側に装着される箱状のハウジングを備えている。このハウジングの底面からは仕切壁が立設されている。この仕切壁によってハウジングの内部に、二次電池と電気的に接続された配線を収容するための配線収容室が仕切られている。また、ハウジングにおける底面の外縁からは、外周壁部が立設されている。この外周壁部の上端には、当該外周壁部の上端に対して回動可能にカバーが連結されている。特許文献１の電池配線モジュールは、カバーを回動させて閉じることにより、カバーによって配線収容室を上側から覆うことができるようになっている。
【先行技術文献】
【特許文献】
【０００３】
【特許文献１】特開２０１１−６５８６３号公報
【発明の概要】
【発明が解決しようとする課題】
【０００４】
特許文献１の電池配線モジュールにおいては、ハウジングにおける配線収容室内に複数の配線が収容される。そのため、複数の配線を配線収容室内に収容しようとする際に、一部の配線が配線収容室の外側にはみ出して配置されることがある。また、配線収容室に収容される配線に折り癖等がついている場合にも、配線を配線収容室内に収容しようとする際に、配線が配線収容室の外側にはみ出して配置されることがある。このように、配線が配線収容室からはみ出して配置された状態で、カバーを回動させて配線収容室を上側から覆うと、カバーとハウジングの壁（例えば仕切壁）との間に配線が挟まれたままカバーが閉じられることがある。そして、カバーとハウジングの壁との間に配線が挟まれると、当該配線に断線等が生じるおそれがある。
【課題を解決するための手段】
【０００５】
上記課題を解決するため、本発明は、車載用の二次電池に装着されるハウジングを備え、前記ハウジングの底面から立設されている仕切壁によって、前記二次電池と電気的に接続された配線を収容するための配線収容室が仕切られている電池配線モジュールであって、前記ハウジングの底面から立設されている壁部の上端には、当該壁部の上端に対して回動可能にカバーが連結されており、前記カバーには、当該カバーを前記配線収容室を上側から覆うように閉じた状態において下側へ向かって突出する第１係止部が設けられており、前記仕切壁には、前記第１係止部と係合して前記カバーを閉じた状態に保持する第２係止部が設けられており、前記カバーには、当該カバーを閉じた状態において下側に向かって突出する案内部が設けられており、前記案内部は、前記第１係止部に対して前記カバーの回動中心側に連結されているとともに、前記回動中心側に向かうほど前記カバーからの突出長が小さくなる傾斜面を有している。
【０００６】
上記構成によれば、カバーを回動させて閉じる際に配線収容室よりも上側に配線がはみ出していても、カバーを閉じる過程で、そのはみ出している配線が案内部の傾斜面に当接し得る。そして、案内部の傾斜面によって、仕切壁よりもカバーの回動中心側に位置する配線収容室に配線が押し出されて収容される。したがって、カバーを閉じる際に、カバーとハウジングの壁との間に配線が挟まれることを抑制できる。
【０００７】
上記の発明において、前記第１係止部は、前記カバーにおける前記回動中心とは反対側の縁から突出しており、前記第２係止部は、前記仕切壁から前記カバーの回動中心側に向かって突出するように設けられており、前記カバーを閉じた状態において、前記第１係止部は前記仕切壁よりも前記回動中心側に位置していてもよい。
【０００８】
上記構成によれば、電池配線モジュールの上側から手指や工具を差し入れて、仕切壁における第２係止部が設けられている箇所をカバーの回動中心側とは反対側に撓ませることで、閉じた状態のカバーの保持状態を解除できる。したがって、閉じた状態のカバーの保持状態を解除するにあたって、二次電池が位置している下側から手指や工具を差し入れるのに比較して操作を行いやすい。
【０００９】
上記の発明において、前記ハウジングの底面からは、前記仕切壁よりも前記回動中心側において前記仕切壁と対向するように規制壁が立設されており、前記規制壁には、当該規制壁の上端から下側に向かって延びているスリットが設けられており、前記カバーが閉じた状態において、前記第１係止部が前記仕切壁と前記規制壁との間に位置しているとともに、前記案内部が前記スリットに挿入されていてもよい。
【００１０】
上記構成によれば、カバーが撓むなどして第１係止部が回動中心側に移動したとしても、第１係止部が規制壁に当接して、それ以上第１係止部がカバーの回動中心側に移動することは規制される。したがって、カバーが過度に撓んで、第１係止部が第２係止部から外れてしまい、意図せず閉じた状態のカバーの保持状態が解除されることは抑制できる。なお、規制壁にはスリットが設けられていてこのスリットに案内部が挿入されるので、カバーを回動させて閉じる際に案内部と規制壁とが干渉することはない。
【００１１】
上記の発明において、前記カバーを前記回動中心を中心として回動させたときの前記傾斜面における突出先端側の頂点の軌跡よりも、前記規制壁の前記回動中心とは反対側の側面の方が、前記回動中心とは反対側に位置していてもよい。
【００１２】
上記構成によれば、配線収容室よりも上側にはみ出している配線が、ハウジングにおける規制壁と案内部との間に挟まれたり、案内部によって規制壁と仕切壁との間の空間に押し出されたりすることを抑制できる。したがって、配線収容室よりも上側にはみ出している配線を、確実に、規制壁よりもカバーの回動中心側の配線収容室に案内できる。
【００１３】
上記の発明において、前記カバー、前記第１係止部、及び前記案内部は、樹脂による一体成形物であり、前記案内部は、前記第１係止部の突出先端面と面一な平坦面を有していてもよい。
【００１４】
上記構成によれば、案内部と第１係止部とが連結している部分において、肉厚が過度に小さくなることがない。したがって、金型のキャビティ内に樹脂を充填して、カバー、第１係止部、及び案内部を一体成形する際に、案内部と第１係止部との連結部分に対応するキャビティ部分に確実に樹脂を行きわたらせることができる。したがって、電池配線モジュールの歩留まりを高めることができる。
【発明の効果】
【００１５】
本発明によれば、電池モジュールにおいてカバーを閉じる際に、ハウジングの壁とカバーとの間に配線が挟まれることを抑制できる。
【図面の簡単な説明】
【００１６】
【図１】二次電池及び電池配線モジュールの斜視図。
【図２】電池配線モジュールの上面図。
【図３】電池配線モジュールの断面図。
【図４】カバーを閉じるときの説明図。
【図５】カバーを閉じるときの説明図。
【図６】変更例のカバーの一部斜視図。
【図７】変更例の電池配線モジュールの断面図。
【発明を実施するための形態】
【００１７】
以下、電池配線モジュールの実施形態を図１〜図５に従って説明する。
なお、以下の説明では、図１中の互いに直交する３つの方向Ｘ、Ｙ、Ｚのうち、方向Ｘを電池配線モジュールの奥行方向、方向Ｙを電池配線モジュールの幅方向、方向Ｚを上下方向として説明する。
【００１８】
図１に示すように、電池配線モジュールＭは、略直方体状の二次電池ＢＴの上面に装着されている。なお、二次電池ＢＴは、電動車両やハイブリッド車両等に搭載されるものであり、車両の走行用モータに電力を供給する。また、二次電池ＢＴは、充電状態や車両の運転状態に応じて、走行用モータや発電用モータからの電力の供給を受ける。二次電池ＢＴの内部には、図示しない複数の単位電池が収容されており、各単位電池の正極・負極の各端子ＴＬが上側へと突出している。
【００１９】
電池配線モジュールＭは、略四角箱状の外形のハウジング１０を備えている。ハウジング１０の底壁部１１は、幅方向の寸法よりも奥行方向の寸法の方が長い長方形板状になっている。底壁部１１の奥行方向の一方側（図１において左上側）の縁からは、奥行方向の一方側に向かって板状の延出部１２が延びている。延出部１２は、底壁部１１と面一に延びている。底壁部１１及び延出部１２の上面（ハウジング１０の底面）における外周縁からは、上側に向かって外周壁部１３が立設されている。この実施形態では、底壁部１１の外周縁のうち幅方向の中央部分及び延出部１２の先端縁部分に、外周壁部１３が立設されていない箇所が設けられている。この外周壁部１３が設けられていない箇所を介して、ハウジング１０の内部から外部に配線Ｌを引き出したり、ハウジング１０の外部から内部に配線Ｌを引き入れたりできるようになっている。なお、図１では、配線Ｌの図示を省略している。
【００２０】
図２に示すように、ハウジング１０の内部には、二次電池ＢＴの各端子ＴＬに対応して複数の端子室Ｒ１が区画されている。端子室Ｒ１は、ハウジング１０の幅方向の中央を挟んで一方側（図２において下側）に５つ、他方側（図２において上側）に４つ、合計９つ設けられている。各端子室Ｒ１内における底壁部１１には、当該底壁部１１を貫通する貫通孔が設けられていて、この貫通孔に二次電池ＢＴの端子ＴＬが下側から挿通されている。各端子室Ｒ１内における底壁部１１上には、二次電池ＢＴの端子ＴＬと電気的に接続された板状のバスバーＢが設置されている。
【００２１】
図１及び図２に示すように、各端子室Ｒ１は、底壁部１１の上面から立設された区画壁１５によって区画されている。区画壁１５は、奥行方向に延びている縦壁部１５Ｘを有している。縦壁部１５Ｘの幅方向外側の面からは、複数の横壁部１５Ｙが幅方向外側へ向かって延びている。横壁部１５Ｙは、外周壁部１３の内面にまで延びている。縦壁部１５Ｘ及び各横壁部１５Ｙの底壁部１１からの立設長（高さ）は、外周壁部１３の底壁部１１からの立設長（高さ）よりも僅かに小さくなっている。区画壁１５の縦壁部１５Ｘには、端子室Ｒ１毎に１箇所ずつ開口部１５ａが設けられている。区画壁１５（縦壁部１５Ｘ及び複数の横壁部１５Ｙ）は、幅方向両側の各端子室Ｒ１に対応して幅方向の両側に設けられている。なお、図１及び図２では、複数の横壁部１５Ｙのうちの一部にのみ符号を付している。
【００２２】
図２に示すように、ハウジング１０の内部において、各端子室Ｒ１よりも幅方向の中央側には、二次電池ＢＴと電気的に接続された配線Ｌを収容するための配線収容室Ｒ２が仕切られている。配線収容室Ｒ２は、幅方向一方側の端子室Ｒ１に対応して１つ、幅方向他方側の端子室Ｒ１に対応して１つ、合計２つ仕切られている。各配線収容室Ｒ２には、縦壁部１５Ｘの開口部１５ａを介して、各端子室Ｒ１内のバスバーＢから延びる配線Ｌが引き込まれている。
【００２３】
図２に示すように、各配線収容室Ｒ２は、底壁部１１の上面から立設された仕切壁１６によって仕切られている。仕切壁１６は、区画壁１５の縦壁部１５Ｘよりも幅方向中央側において奥行方向に沿って延びている。仕切壁１６は、底壁部１１の奥行方向の全体に亘って延びている。この実施形態では、ハウジング１０の内部のうち、端子室Ｒ１よりも幅方向中央側の空間が仕切壁１６によって仕切られており、仕切壁１６よりも幅方向外側であって区画壁１５における縦壁部１５Ｘの幅方向内側が配線収容室Ｒ２として機能する。仕切壁１６は、幅方向両側の各端子室Ｒ１に対応して間隔を開けて２つ設けられている。なお、２つの仕切壁１６の間の空間は、外部から引き込まれる配線を通すための空間として利用される。
【００２４】
図１に示すように、底壁部１１の上面からは、上側に向かって規制壁１７が立設されている。規制壁１７は、仕切壁１６よりも幅方向外側において奥行方向に延びている。規制壁１７と仕切壁１６との間隔は、規制壁１７と区画壁１５の縦壁部１５Ｘとの間隔よりも短くなっている。
【００２５】
区画壁１５における縦壁部１５Ｘの上端には、ヒンジ部２１を介して小カバー２２が連結されている。小カバー２２は、長方形板状になっている。小カバー２２における奥行方向の寸法は、端子室Ｒ１の奥行方向の寸法の半分以下になっている。小カバー２２における縦壁部１５Ｘの上端からの延設長さは、縦壁部１５Ｘと仕切壁１６との間隔とほぼ同じになっている。ヒンジ部２１の厚みは、縦壁部１５Ｘ及び小カバー２２の厚みよりも薄くなっていて、縦壁部１５Ｘ及び小カバー２２よりも曲げ剛性が低くなっている。すなわち、ヒンジ部２１は、いわゆる薄肉ヒンジとして機能する。そして、小カバー２２は、縦壁部１５Ｘの上端に対して、ヒンジ部２１を回動中心として回動可能になっている。小カバー２２を幅方向内側に向けて回動させて閉じた状態にすると、この小カバー２２によって配線収容室Ｒ２が部分的に上側から覆われる。この実施形態では、各配線収容室Ｒ２に対応して、幅方向の両側に１つずつ合計２つの小カバー２２が設けられている。
【００２６】
小カバー２２の先端縁（ヒンジ部２１とは反対側の縁）からは、略Ｕ字状の係止片２３が突出している。係止片２３は、Ｕ字の両端が小カバー２２の先端縁に連結されたような形状になっている。係止片２３は、小カバー２２を閉じた状態において下側に向かうように、小カバー２２に対して直角に突出している。係止片２３の小カバー２２からの突出長は、区画壁１５における縦壁部１５Ｘの底壁部１１からの立設長よりも短くなっている。
【００２７】
各仕切壁１６には、当該仕切壁１６の上端から下側に向かって延びている一対の第１スリット１６ａが設けられている。一対の第１スリット１６ａの間隔は、上述した係止片２３の奥行方向の寸法よりも短くなっている。また、一対の第１スリット１６ａは、奥行方向において小カバー２２に対応する箇所に位置している。
【００２８】
図１に示すように、仕切壁１６のうち、一対の第１スリット１６ａに挟まれた箇所には、第１係止爪１８が設けられている。第１係止爪１８は、仕切壁１６の幅方向外側の面から幅方向外側に向かって突出している。小カバー２２をヒンジ部２１を回動中心として幅方向中央側に向けて回動させて、当該小カバー２２を閉じた状態にすると、略Ｕ字状の係止片２３の中央の空間に第１係止爪１８が嵌まり込んで、係止片２３と第１係止爪１８とが係合した状態になる。この係止片２３と第１係止爪１８とが係合した状態においては、小カバー２２が閉じた状態に保持されている。
【００２９】
各規制壁１７には、当該規制壁１７の上縁から下側に向かって切り欠かれたような形状の凹部１７ａが設けられている。凹部１７ａの規制壁１７の上縁からの切欠深さは、小カバー２２の厚みとほぼ同一になっている。また、凹部１７ａは、奥行方向において小カバー２２に対応する箇所に位置している。凹部１７ａの奥行方向における切欠範囲は、小カバー２２の奥行方向の寸法とほぼ同一になっている。小カバー２２を閉じた状態においては、凹部１７ａに小カバー２２が嵌め合わされ、閉じた状態における小カバー２２の上面と凹部１７ａが設けられていない箇所の規制壁１７の上端とが面一になる。
【００３０】
図１に示すように、外周壁部１３のうち奥行方向に延びている部分の上端には、ヒンジ部３１を介して長方形板状の大カバー３２が連結されている。大カバー３２の奥行方向の寸法は、底壁部１１の奥行方向の寸法と同じになっている。すなわち、大カバー３２は、外周壁部１３のうち奥行方向に延びている部分の全体に亘って設けられている。大カバー３２における外周壁部１３の上端からの延設長さは、外周壁部１３における奥行方向に延びている部分と仕切壁１６との間隔とほぼ同じになっている。ヒンジ部３１の厚みは、外周壁部１３及び大カバー３２の厚みよりも薄くなっていて、外周壁部１３及び大カバー３２よりも曲げ剛性が低くなっている。すなわち、ヒンジ部３１は、いわゆる薄肉ヒンジとして機能する。そして、大カバー３２は、外周壁部１３の上端に対して、ヒンジ部３１を回動中心として回動可能になっている。大カバー３２を幅方向内側に向けて回動させて閉じた状態にすると、この大カバー３２によって、各端子室Ｒ１及び配線収容室Ｒ２の全体が上側から覆われる。
【００３１】
大カバー３２の先端縁（ヒンジ部３１とは反対側の縁）からは、略Ｕ字状の係止片３３が突出している。係止片３３は、Ｕ字の両端が大カバー３２の先端縁に連結されたような形状になっている。係止片３３は、大カバー３２を閉じた状態において下側に向かうように、大カバー３２に対して直角に突出している。係止片３３の大カバー３２からの突出長は、外周壁部１３の底壁部１１からの立設長よりも短くなっている。係止片３３は、１つの大カバー３２につき、奥行方向に互いに離間して２つ設けられている。なお、この実施形態では、係止片３３が第１係止部に相当する。
【００３２】
各仕切壁１６には、当該仕切壁１６の上端から下側に向かって延びている一対の第２スリット１６ｂが二対設けられている。一対の第２スリット１６ｂの間隔は、上述した係止片３３の奥行方向の寸法よりも短くなっている。また、各対の第２スリット１６ｂは、奥行方向において、係止片３３に対応する箇所に位置している。
【００３３】
図１及び図３に示すように、仕切壁１６のうち、一対の第２スリット１６ｂに挟まれた箇所には、係止片３３が係合する第２係止爪１９が設けられている。図３に示すように、第２係止爪１９は、仕切壁１６の幅方向外側の面からヒンジ部３１側（図３において右側）に向かって突出している。大カバー３２をヒンジ部３１を回動中心として幅方向中央側に向けて回動させて、当該大カバー３２を閉じた状態にすると、略Ｕ字状の係止片３３の中央の空間に第２係止爪１９が嵌まり込んで、係止片３３と第２係止爪１９とが係合した状態になる。この係止片３３と第２係止爪１９とが係合した状態においては、大カバー３２は閉じた状態に保持されている。この実施形態では、第２係止爪１９が第２係止部に相当する。なお、図３では、配線収容室Ｒ２における端子ＴＬやバスバーＢの図示を省略している。
【００３４】
図１及び図３に示すように、大カバー３２には、当該大カバーを閉じた状態において下側に向かって突出する案内部３４が設けられている。案内部３４は、略板状になっている。案内部３４は、係止片３３におけるヒンジ部３１側のうち、奥行方向の中央部に連結されている。案内部３４は、奥行方向から平面視すると台形状になっていて、その最大高さ（大カバー３２からの最大突出長）は、係止片３３の大カバー３２からの突出長と同じになっている。したがって、案内部３４は、係止片３３の先端面と面一な平坦面３４ａと、その平坦面３４ａのヒンジ部３１側の端からヒンジ部３１側に向かうほど突出長が小さくなる傾斜面３４ｂとを備えている。
【００３５】
図３に示すように、大カバー３２を閉じた状態において、傾斜面３４ｂにおける突出先端側の頂点Ｐは、規制壁１７におけるヒンジ部３１とは反対側の側面（図３において左側の側面）よりもヒンジ部３１側に位置している。また、この実施形態では、大カバー３２をヒンジ部３１を回動中心として回動させたときの傾斜面３４ｂの頂点Ｐの軌跡Ｔよりも、規制壁１７のヒンジ部３１とは反対側の側面の方が、ヒンジ部３１とは反対側に位置するように、案内部３４の形状が設定されている。
【００３６】
図１及び図３に示すように、各規制壁１７には、当該規制壁１７の上縁から下側へと向かって延びているスリット１７ｂが設けられている。図３に示すように、上下方向におけるスリット１７ｂの長さは、係止片３３における大カバー３２からの突出長と略同じになっている。また、奥行き方向におけるスリット１７ｂの幅は、案内部３４の厚みよりもわずかに長くなっている。また、スリット１７ｂは、奥行方向において案内部３４に対応する位置に設けられている。
【００３７】
上記のように構成された電池配線モジュールＭは、金型内に形成されているキャビティに樹脂を流し込んで硬化させることにより、一体成形物として成形される。なお、電池配線モジュールＭの材質としては、例えばポリプロピレン等が挙げられる。
【００３８】
上記のように構成された電池配線モジュールＭを二次電池ＢＴに装着する際の作用について説明する。
電池配線モジュールＭにおけるハウジング１０は、二次電池ＢＴの上側に装着される。ハウジング１０を二次電池ＢＴの上側に装着した状態では、二次電池ＢＴの各端子ＴＬが、ハウジング１０内に区画されている各端子室Ｒ１内に突出し、各端子室Ｒ１内のバスバーＢに電気的に接続される。そして、各端子室Ｒ１内のバスバーＢから延びる配線Ｌを、区画壁１５の開口部１５ａを介して配線収容室Ｒ２内へと引き出すとともに、延出部１２側へと引き出す。このように各配線Ｌを配線収容室Ｒ２へと配置したら、小カバー２２及び大カバー３２を幅方向中央側へと回動させて閉じた状態にする。これにより、配線収容室Ｒ２内に配置された各配線Ｌが小カバー２２によって上側から押さえ付けられるとともに、配線収容室Ｒ２及び各端子室Ｒ１が大カバー３２によって上側から覆われた状態になる。
【００３９】
ここで、配線収容室Ｒ２内に各配線Ｌを配置させる際に、図４に示すように、配線Ｌの一部が配線収容室Ｒ２よりも上側にはみ出して配置されることがある。この状態のまま、大カバー３２を幅方向中央側へ回動させると、例えば、大カバー３２と規制壁１７との間に配線Ｌが挟まったり、係止片３３の先端と第２係止爪１９の先端との間に配線Ｌが挟まったりすることがある。仮に、配線Ｌが挟まってしまうと、当該配線Ｌにおいて断線等が発生するおそれがある。
【００４０】
この点、上記実施形態によれば、配線収容室Ｒ２よりも上側における規制壁１７寄りの部分に配線Ｌが位置していたとしても、図５に示すように、大カバー３２を回動させていく過程で案内部３４の傾斜面３４ｂに配線Ｌが当接する。そして、案内部３４の傾斜面３４ｂは、回動中心であるヒンジ部３１側に向かうほど突出長が短くなるような面である。そのため、案内部３４の傾斜面３４ｂに当接した配線Ｌは、ヒンジ部３１側斜め下方に押し出されて、配線収容室Ｒ２内に案内される。
【００４１】
図３において二点鎖線で図示するように、大カバー３２を底壁部１１に対して略平行となるまで回動させると、仕切壁１６から突出する第２係止爪１９と大カバー３２から突出する係止片３３とが係合し、大カバー３２が閉じた状態に保持される。大カバー３２を開ける際には、仕切壁１６における一対の第２スリット１６ｂに挟まれている部分に対して、手指や工具を上側から押し付けて、仕切壁１６における一対の第２スリット１６ｂに挟まれている部分をヒンジ部３１とは反対側に撓ませる。これにより、第２係止爪１９と係止片３３との係合が解除されて、大カバー３２を回動させることが可能となる。この点、小カバー２２についても同様で、仕切壁１６における一対の第１スリット１６ａに挟まれている部分に対して、手指や工具を上側から押し付けて、仕切壁１６をヒンジ部３１とは反対側に撓ませることで、小カバー２２を回動させることが可能になる。
【００４２】
上記実施形態によれば、以下の効果を奏することができる。
（１）上記実施形態では、大カバー３２を回動させて閉じる際に、配線収容室Ｒ２よりも上側に配線Ｌがはみ出していても、大カバー３２を閉じる過程で、そのはみ出している配線Ｌが案内部３４の傾斜面３４ｂに当接し得る。そして、案内部３４の傾斜面３４ｂによって、規制壁１７よりもヒンジ部３１側の配線収容室Ｒ２に配線Ｌが押し出されて収容される。したがって、大カバー３２を閉じる際に、大カバー３２とハウジング１０の規制壁１７や仕切壁１６等との間に配線Ｌが挟まれることを抑制できる。
【００４３】
（２）上記実施形態では、案内部３４が係止片３３に連結されているため、案内部３４が、係止片３３や大カバー３２における係止片３３の近傍部分の強度を向上させるための補強リブとしても機能する。したがって、例えば、大カバー３２を繰り返し開閉させるなどした際に、係止片３３の強度が低下する「へたり」等が生じにくい。
【００４４】
（３）上記実施形態とは別の第２係止爪１９と係止片３３との係合関係として、仕切壁１６から幅方向中央側に第２係止爪１９が突出しており、大カバー３２を閉じた状態において係止片３３が仕切壁１６よりも幅方向中央側に位置している係合関係が考えられる。また、この係合関係の場合、第２係止爪１９と係止片３３との係合関係を解除するためには、係止片３３の先端に下側から手指や工具を当てて、係止片３３の先端を幅方向中央側に撓ませることが考えられる。しかし、電池配線モジュールＭにおいては、ハウジング１０（底壁部１１）の下側に、二次電池ＢＴが位置しているため、係止片３３の先端に下側から手指や工具を当てるのは難しい。
【００４５】
この点、上記実施形態では、電池配線モジュールＭの上側から手指や工具を差し入れて、仕切壁１６における第２係止爪１９が設けられている箇所をヒンジ部３１とは反対側に撓ませることで、閉じた状態の大カバー３２の保持状態を解除できる。したがって、閉じた状態の大カバー３２の保持状態を解除するにあたって、二次電池ＢＴが位置している下側から手指や工具を差し入れるのに比較して操作を行いやすい。
【００４６】
（４）上記実施形態では、大カバー３２が撓むなどして係止片３３がヒンジ部３１側に移動したとしても、例えば係止片３３の突出先端部が規制壁１７に当接して、それ以上係止片３３がヒンジ部３１側に移動することは規制される。したがって、大カバー３２が過度に撓んで、係止片３３が第２係止爪１９から外れてしまい、意図せず閉じた状態のカバーの保持状態が解除されることは抑制できる。
【００４７】
（５）上記実施形態では、規制壁１７にスリット１７ｂが設けられていて、大カバー３２が閉じた状態において、当該スリット１７ｂに案内部３４が挿入される。したがって、大カバー３２を回動させて閉じる際に案内部３４と規制壁１７とが干渉することはない。
【００４８】
（６）上記実施形態において、仮に案内部３４が平坦面３４ａを有してなく、傾斜面３４ｂの突出先端側の頂点Ｐが係止片３３の先端面に位置していたとする。この場合、配線収容室Ｒ２の上側にはみ出している配線Ｌが傾斜面３４ｂの頂点Ｐの近傍に当接すると、配線Ｌを規制壁１７よりもヒンジ部３１側へと案内することができず、配線Ｌが案内部３４における傾斜面３４ｂと規制壁１７の上端との間に挟まってしまったり規制壁１７と仕切壁１６との間の空間に案内されてしまったりすることが有る。
【００４９】
上記実施形態では、ヒンジ部３１を回動中心として大カバー３２を回動させたときの案内部３４の頂点Ｐの軌跡Ｔよりも、規制壁１７におけるヒンジ部３１とは反対側の面の方が、ヒンジ部３１とは反対側に位置している。したがって、配線収容室Ｒ２よりも上側にはみ出している配線Ｌを、確実に、規制壁１７よりもヒンジ部３１側に配置できる。その結果、上述したように、配線Ｌが案内部３４における傾斜面３４ｂと規制壁１７の上端との間に挟まってしまったり規制壁１７と仕切壁１６との間の空間に案内されてしまったりすることが抑制できる。
【００５０】
（７）上記実施形態において、仮に案内部３４が平坦面３４ａを有していない場合、案内部３４における傾斜面３４ｂの頂点Ｐの近傍箇所において、肉厚（例えば図３において左右方向の肉厚）が小さくなる箇所が生じる。上記実施形態のように、金型のキャビティ内に樹脂を流し込んで電池配線モジュールＭを一体成形する場合、電池配線モジュールＭにおける肉厚の小さい部分に相当するキャビティ部分に樹脂を充填しにくくなる。仮に、キャビティ内の一部に樹脂が充填されないまま成形されてしまえば、その電池配線モジュールＭは不良品となり、歩留まりが低くなってしまう。
【００５１】
上記実施形態によれば、案内部３４が係止片３３の先端面と面一な平坦面３４ａを有しており、案内部３４においても相応の肉厚が確保されている。すなわち、案内部３４と係止片３３とが連結している部分において、肉厚が過度に小さくなることがない。したがって、金型のキャビティ内に樹脂を充填して電池配線モジュールＭを一体成形する際に、金型のキャビティ内における案内部３４の頂点Ｐに相当する箇所に、確実に樹脂を行きわたらせることができる。したがって、電池配線モジュールＭの歩留まりを高めることができる。
【００５２】
上記実施形態は、次のように変更できる。
・上記実施形態の電池配線モジュールＭにおける端子室Ｒ１や配線収容室Ｒ２の数や配置は例示であり、適宜変更できる。また、例えば、同一又は類似の電池配線モジュールＭを複数奥行方向に連結させて、一体的なモジュールとして使用することもある。
【００５３】
・電池配線モジュールＭは、一体成形物に限らない。例えば、ハウジング１０と小カバー２２や大カバー３２とをそれぞれ別体で成形し、これらを組み付けてもよい。また、電池配線モジュールＭの材質は必ずしも樹脂でなくてもよく、バスバーＢや配線Ｌに対する絶縁性を確保できる材質であればよい。
【００５４】
・案内部３４は、必ずしも平坦面３４ａを有していなくてもよい。例えば、案内部３４は、当該案内部３４を奥行方向から平面視した場合に略直角三角形状に形成されていてもよい。
【００５５】
・ヒンジ部３１を回動中心として大カバー３２を回動させたときの案内部３４の頂点Ｐの軌跡Ｔが、規制壁１７におけるヒンジ部３１とは反対側の面よりも、ヒンジ部３１とは反対側に位置していてもよい。例えば、配線収容室Ｒ２内に配置される配線Ｌが比較的に太い物なのであれば、上記のように構成されていても、配線Ｌが案内部３４によって仕切壁１６と規制壁１７との間に押し出されてしまう可能性は低い。
【００５６】
・規制壁１７を省略してもよい。上述したように、係止片３３には案内部３４が連結されていて係止片３３や大カバー３２における係止片３３の近傍の強度の向上が図られている。そのため、規制壁１７を省略したとしても、係止片３３や大カバー３２における係止片３３の近傍が撓んで係止片３３と第２係止爪１９との係合関係が解除される可能性は低い。
【００５７】
・上記実施形態では、大カバー３２の先端縁から係止片３３が突出していたが、これに限らない。すなわち、係止片３３は、大カバー３２の先端縁に対してヒンジ部３１側に離間した箇所から突出していてもよい。係止片３３の位置は、係止片３３が係止される第２係止爪１９の位置や、大カバー３２の寸法等を勘案して適宜決定すればよい。
【００５８】
・上記実施形態では、１つの係止片３３に対して１つの案内部３４が連結していたが、複数の案内部が連結されていてもよい。例えば、図６に示す例では、１つの係止片３３に対して２つの案内部６１が連結されている。各案内部６１は、平坦面６１ａと当該平坦面６１ａからヒンジ部３１側（図６において左下側）に向かうほど突出長が小さくなる傾斜面６１ｂとを有している。また、各案内部６１は同形同大になっている。各案内部６１は、係止片３３における奥行方向の両端部に連結されている。なお、この例の場合、２つの案内部６１に対応して、規制壁１７におけるスリット１７ｂを２つ設ければよい。
【００５９】
・１つの係止片３３に対して２つの案内部６１が連結されている構成において、仕切壁１６から突出する係止爪の突出方向を変えてもよい。例えば、図７に示す例では、仕切壁１６のヒンジ部３１とは反対側の面（図７において左側の面）からヒンジ部３１とは反対側に向かって係止爪７１が突出している。また、この変更例では、２つの案内部６１が仕切壁１６における一対の第２スリット１６ｂに挿入されており、大カバー３２を回動させる際に各案内部６１が仕切壁に干渉することはない。
【００６０】
この変更例の場合であっても、係止片３３が略Ｕ字状に形成されていれば、そのＵ字の間の空間を介して手指や工具を係止爪７１に当てることができる。そして、手指や工具で仕切壁１６をヒンジ部３１側へと撓ませることで、係止片３３と係止爪７１との係合関係を解除できる。なお、この変更例の場合、仕切壁１６よりもヒンジ部３１側に規制壁１７を設けても、当該規制壁１７によって係止片３３の過度な撓みを抑制できるとは考えにくい。そこで、図７に示すように、規制壁１７を省略してもよい。
【００６１】
・大カバー３２から突出する係止片３３に案内部３４を連結するのに代えて、又は加えて、小カバー２２から突出する係止片２３に案内部を連結してもよい。この場合、規制壁１７における凹部１７ａの上端から下側に向かって延びるスリットを設け、小カバー２２が閉じたときに係止片２３に連結されている案内部が当該スリットに挿入されるようにすればよい。
【００６２】
・上記実施形態では、大カバー３２を、外周壁部１３の上端に対して回動可能に構成したが、これに限らない。仕切壁１６よりも幅方向外側において立設されていて奥行方向に延びている壁部が他に存在するのであれば、その壁部の上端に対して回動可能に大カバー３２を連結してもよい。
【００６３】
・係止片３３（第１係止部）の形状は、略Ｕ字状に限らない。例えば、大カバー３２の先端縁から突出する板状の第１係止部を設け、この第１係止部のヒンジ部３１側の面に凹部を設けてもよい。この変更例の場合でも、第１係止部の凹部内に係止片３３が嵌まり込んで両者が係合する。
【００６４】
・また、例えば、大カバー３２の先端縁から突出する板状部材と、その板状部材のヒンジ部３１側の面からヒンジ部３１側へと突出する突起部とで第１係止部を構成してもよい。この場合、仕切壁１６に、係止爪に代えて上記突起部が嵌まり込む窪み部を設ければよい。
【符号の説明】
【００６５】
ＢＴ…二次電池、ＴＬ…端子、Ｍ…電池配線モジュール、Ｌ…配線、Ｂ…バスバー、Ｒ１…端子室、Ｒ２…配線収容室、Ｐ…傾斜面の頂点、Ｔ…軌跡、１０…ハウジング、１１…底壁部、１２…延出部、１３…外周壁部、１５…区画壁、１５Ｘ…縦壁部、１５Ｙ…横壁部、１５ａ…開口部、１６…仕切壁、１６ａ…第１スリット、１６ｂ…第２スリット、１７…規制壁、１７ａ…凹部、１７ｂ…スリット、１８…第１係止爪、１９…第２係止爪、２１…ヒンジ部、２２…小カバー、２３…係止片、３１…ヒンジ部、３２…大カバー、３３…係止片、３４…案内部、３４ａ…平坦面、３４ｂ…傾斜面、６１…案内部、６１ａ…平坦面、６１ｂ…傾斜面、７１…係止爪。
【図１】
2018181651.tif 000003
【図２】
2018181651.tif 000004
【図３】
2018181651.tif 000005
【図４】
2018181651.tif 000006
【図５】
2018181651.tif 000007
【図６】
2018181651.tif 000008
【図７】
2018181651.tif 000009